【手続補正書】
【提出日】平成27年2月12日(2015.2.12)
【手続補正１】
【補正対象書類名】特許請求の範囲
【補正対象項目名】全文
【補正方法】変更
【補正の内容】
【特許請求の範囲】
【請求項１】
１又は複数の二次電池の充放電状態を数値で表す状態データを生成する生成部を夫々有する複数の電池モジュールを直列及び／又は並列に接続してあり、各生成部が生成した状態データを時系列的にポーリングして各取得する制御部を備える電池システムにおいて、
前記制御部は、
各取得した状態データの大きさに応じて状態データを各取得すべき頻度を変更することで、各電池モジュールの自己放電量を変更するようにしてあること
を特徴とする電池システム。
【請求項２】
前記制御部は、
各取得した状態データが所定の閾値より大きいか否かを各判定する手段を備え、
該手段が大きいと判定した場合、各取得すべき頻度の多寡を変更するようにしてあること
を特徴とする請求項１に記載の電池システム。
【請求項３】
前記制御部は、
各取得した状態データの平均的な値を算出する手段と、
該手段が算出した平均的な値に対する各取得した状態データの偏差を各算出する算出手段とを備え、
該算出手段が各算出した偏差の大小に応じて、前記状態データを各取得すべき頻度の多寡を変更するようにしてあること
を特徴とする請求項１に記載の電池システム。
【請求項４】
前記制御部は、
前記算出手段が各算出した偏差の絶対値の最大値及び最小値の差分が所定の閾値より大きいか否かを各判定する手段を備え、
該手段が大きいと判定した場合、各取得すべき頻度の多寡を変更するようにしてあること
を特徴とする請求項３に記載の電池システム。
【請求項５】
前記状態データは、前記二次電池の電圧及び／又は残容量を表すデータであることを特徴とする請求項１から４の何れか１項に記載の電池システム。
【請求項６】
前記ポーリングのデータの受信により、ポーリング対象の電池モジュールの生成部が低消費電力の状態を抜けて起動した状態となること
を特徴とする請求項１に記載の電池システム。
【請求項７】
前記ポーリングのデータが、ポーリング対象の電池モジュールの生成部が起動する時期を決める周期データを含むこと
を特徴とする請求項１に記載の電池システム。
【請求項８】
前記電池モジュールと前記制御部との通信に光ファイバを利用すること
を特徴とする請求項７に記載の電池システム。
【請求項９】
１又は複数の二次電池の充放電状態を数値で表す状態データを生成する生成部を夫々有する複数の電池モジュールを直列及び／又は並列に接続してあり、各生成部が生成した状態データを時系列的にポーリングして各取得する制御部を備える電池システムで各電池モジュールにおける充放電状態を変更する方法において、
前記制御部は、
各取得した状態データの大きさに応じて状態データを各取得すべき頻度を変更することで、各電池モジュールの自己放電量を変更すること
を特徴とする電池システムの充放電状態変更方法。
【請求項１０】
各取得した状態データが所定の閾値より大きいか否かを各判定し、
大きいと判定した場合、各取得すべき頻度の多寡を変更すること
を特徴とする請求項９に記載の電池システムの充放電状態変更方法。
【請求項１１】
前記状態データは、前記二次電池の電圧及び／又は残容量を表すデータであることを特徴とする請求項９又は１０に記載の電池システムの充放電状態変更方法。
【手続補正２】
【補正対象書類名】明細書
【補正対象項目名】発明の名称
【補正方法】変更
【補正の内容】
【発明の名称】電池システム及び電池システムの充放電状態変更方法
【手続補正３】
【補正対象書類名】明細書
【補正対象項目名】０００８
【補正方法】変更
【補正の内容】
【０００８】
本発明に係る電池システムは、１又は複数の二次電池の充放電状態を数値で表す状態データを生成する生成部を夫々有する複数の電池モジュールを直列及び／又は並列に接続してあり、各生成部が生成した状態データを時系列的にポーリングして各取得する制御部を備える電池システムにおいて、前記制御部は、各取得した状態データの大きさに応じて状態データを各取得すべき頻度を変更することで、各電池モジュールの自己放電量を変更するようにしてあることを特徴とする。
【手続補正４】
【補正対象書類名】明細書
【補正対象項目名】０００９
【補正方法】変更
【補正の内容】
【０００９】
本発明に係る電池システムは、前記制御部は、各取得した状態データが所定の閾値より大きいか否かを各判定する手段を備え、該手段が大きいと判定した場合、各取得すべき頻度の多寡を変更するようにしてあることを特徴とする。
【手続補正５】
【補正対象書類名】明細書
【補正対象項目名】００１０
【補正方法】変更
【補正の内容】
【００１０】
本発明に係る電池システムは、前記制御部は、各取得した状態データの平均的な値を算出する手段と、該手段が算出した平均的な値に対する各取得した状態データの偏差を各算出する算出手段とを備え、該算出手段が各算出した偏差の大小に応じて、前記状態データを各取得すべき頻度の多寡を変更するようにしてあることを特徴とする。
【手続補正６】
【補正対象書類名】明細書
【補正対象項目名】００１１
【補正方法】変更
【補正の内容】
【００１１】
本発明に係る電池システムは、前記制御部は、前記算出手段が各算出した偏差の絶対値の最大値及び最小値の差分が所定の閾値より大きいか否かを各判定する手段を備え、該手段が大きいと判定した場合、各取得すべき頻度の多寡を変更するようにしてあることを特徴とする。
【手続補正７】
【補正対象書類名】明細書
【補正対象項目名】００１２
【補正方法】変更
【補正の内容】
【００１２】
本発明に係る電池システムは、前記状態データは、前記二次電池の電圧及び／又は残容量を表すデータであることを特徴とする。
【手続補正８】
【補正対象書類名】明細書
【補正対象項目名】００１３
【補正方法】変更
【補正の内容】
【００１３】
本発明に係る電池システムは、前記ポーリングのデータの受信により、ポーリング対象の電池モジュールの生成部が低消費電力の状態を抜けて起動した状態となることを特徴とする。
【手続補正９】
【補正対象書類名】明細書
【補正対象項目名】００１４
【補正方法】変更
【補正の内容】
【００１４】
本発明に係る電池システムは、前記ポーリングのデータが、ポーリング対象の電池モジュールの生成部が起動する時期を決める周期データを含むことを特徴とする。
本発明に係る電池システムは、前記電池モジュールと前記制御部との通信に光ファイバを利用することを特徴とする。
【手続補正１０】
【補正対象書類名】明細書
【補正対象項目名】００１５
【補正方法】変更
【補正の内容】
【００１５】
本発明に係る充放電状態を変更する方法において、１又は複数の二次電池の充放電状態を数値で表す状態データを生成する生成部を夫々有する複数の電池モジュールを直列及び／又は並列に接続してあり、各生成部が生成した状態データを時系列的にポーリングして各取得する制御部を備える電池システムで各電池モジュールにおける充放電状態を変更する方法において、前記制御部は、各取得した状態データの大きさに応じて状態データを各取得すべき頻度を変更することを特徴とする。
本発明に係る充放電状態を変更する方法において、各取得した状態データが所定の閾値より大きいか否かを各判定し、大きいと判定した場合、各取得すべき頻度の多寡を変更することで、各電池モジュールの自己放電量を変更することを特徴とする。
本発明に係る充放電状態を変更する方法において、前記状態データは、前記二次電池の電圧及び／又は残容量を表すデータであることを特徴とする。